【手続補正書】
【提出日】平成27年5月29日(2015.5.29)
【手続補正１】
【補正対象書類名】特許請求の範囲
【補正対象項目名】全文
【補正方法】変更
【補正の内容】
【特許請求の範囲】
【請求項１】
光センサに用いられる有機光電変換素子の受光層の乾式成膜に用いられ、
前記受光層の構成有機物を主成分とする成膜用有機材料であって、
高速液体クロマトグラフィにより検出できない物質を１．０質量％未満含有してなる成膜用有機材料。
【請求項２】
前記物質が、前記構成有機物及び／又は金属が反応することにより生成された物質、前記構成有機物の製造工程において生じる中間体、及び該中間体が反応することにより生成された物質の少なくとも１つからなる請求項１記載の成膜用有機材料。
【請求項３】
前記光センサの１画素の長い方の辺の長さが５μm以下である請求項１又は２いずれか１項に記載の成膜用有機材料。
【請求項４】
前記物質を０．８質量％以下含有する請求項１〜３いずれか１項記載の成膜用有機材料。
【請求項５】
前記物質を０．５質量％以下含有する請求項１〜３いずれか１項に記載の成膜用有機材料。
【請求項６】
前記構成有機物にフラーレン又はフラーレン誘導体を含む請求項１〜５いずれか１項記載の成膜用有機材料。
【請求項７】
前記物質が、前記構成有機物よりも昇華温度が高いものである請求項１〜６いずれか１項記載の成膜用有機材料。
【請求項８】
前記乾式成膜法が真空抵抗加熱蒸着法である請求項１〜７いずれか１項記載の成膜用有機材料。
【請求項９】
前記受光層が光電変換層又は電子ブロッキング層である請求項１〜８いずれか１項記載の成膜用有機材料。
【請求項１０】
残留溶媒量が３mol％以下である請求項１〜９いずれか１項記載の成膜用有機材料。
【請求項１１】
金属含有量が１０ｐｐｍ未満である請求項１〜１０いずれか１項記載の成膜用有機材料。
【請求項１２】
光センサに用いられる有機光電変換素子の受光層を乾式成膜法により形成する方法であって、
前記受光層の構成有機物を主成分とし、高速液体クロマトグラフィにより測定される純度が９８％以上、且つ金属含有量が１０ｐｐｍ未満である成膜用有機材料を用意する工程と、
該成膜用有機材料から、前記高速液体クロマトグラフィ測定により検出できない物質を除去して該物質の前記成膜用有機材料中における含量が１．０質量％未満にする精製工程と、
該精製工程後の前記成膜用有機材料を用いて前記受光層を前記乾式成膜法により形成する成膜工程とを有する受光層形成方法。
【請求項１３】
前記物質は、前記構成有機物及び／又は前記金属が反応することにより生成された物質、前記構成有機物の製造工程において生じる中間体、及び該中間体が反応することにより生成された物質の少なくとも１つからなる請求項１２記載の受光層形成方法。
【請求項１４】
前記精製工程において、前記成膜用有機材料中における残留溶媒量が３ｍｏｌ％以下にする工程を更に有する請求項１２又は１３いずれか１項に記載の受光層形成方法。
【請求項１５】
前記乾式成膜法が真空抵抗加熱蒸着法である請求項１２〜１４いずれか１項記載の受光層形成方法。
【請求項１６】
前記受光層が光電変換層又は電子ブロッキング層である請求項１２〜１５いずれか１項記載の受光層形成方法。
【請求項１７】
前記受光層が光電変換層又は電子ブロッキング層であり、前記構成有機物が、フラーレン又はフラーレン誘導体を含む請求項１６に記載の受光層形成方法。
【請求項１８】
前記物質が、前記構成有機物よりも昇華温度が高いものである請求項１２〜１７いずれか１項記載の受光層形成方法。
【請求項１９】
一対の電極と、前記一対の電極に挟持された少なくとも光電変換層を含む受光層又は発光層を有する有機光電変換素子の製造方法であって、
前記受光層を請求項１２〜１８いずれか１項記載の受光層形成方法により成膜する有機光電変換素子の製造方法。
【請求項２０】
一対の電極と、前記一対の電極に挟持された少なくとも光電変換層を含む受光層を有する有機光電変換素子であって、
前記一対の電極のうち少なくとも一方が透明電極であり、
前記受光層が、請求項１〜１１いずれか１項記載の成膜用有機材料を用いて乾式成膜されたものを含む有機光電変換素子。
【請求項２１】
複数の、請求項２０に記載の光電変換素子と、
該光電変換素子の前記光電変換層で発生した電荷に応じた信号を読み出す信号読出し回路が形成された回路基板とを備える光センサ。
【請求項２２】
撮像素子である請求項２１に記載の光センサ。
【手続補正２】
【補正対象書類名】明細書
【補正対象項目名】発明の名称
【補正方法】変更
【補正の内容】
【発明の名称】成膜用有機材料及びそれを用いて得られた有機光電変換素子、撮像素子、受光層形成方法、有機光電変換素子の製造方法
【手続補正３】
【補正対象書類名】明細書
【補正対象項目名】０００１
【補正方法】変更
【補正の内容】
【０００１】
本発明は有機光電変換素子の乾式成膜に用いる成膜用有機材料用及びそれを用いて得られる有機光電変換素子、撮像素子及び有機電界発光素子に関する。本発明はまた、有機光電変換素子を構成する受光層の形成方法及び有機光電変換素子の製造方法に関する。
【手続補正４】
【補正対象書類名】明細書
【補正対象項目名】００２１
【補正方法】変更
【補正の内容】
【００２１】
また、本発明の受光層形成方法は、光センサに用いられる有機光電変換素子の受光層を乾式成膜法により形成する方法であって、受光層の構成有機物を主成分とし、ＨＰＬＣにより測定される純度が９８％以上、且つ金属含有量が１０ｐｐｍ以下である成膜用有機材料を用意する工程と、
この成膜用有機材料から、ＨＰＬＣ測定により検出できない物質を除去してこの物質の成膜用有機材料中における含量を１．０質量％未満にする精製工程と、
この精製工程後の成膜用有機材料を用いて受光層を乾式成膜法により形成する成膜工程とを有する。かかる方法は、一対の電極と、前記一対の電極に挟持された少なくとも光電変換層を含む受光層又は発光層を有する有機光電変換素子の製造方法において、受光層の成膜に好適に用いることができる。
【手続補正５】
【補正対象書類名】明細書
【補正対象項目名】００２６
【補正方法】変更
【補正の内容】
【００２６】
本発明の成膜用有機材料及び受光層形成方法において、ＨＰＬＣにより検出できない物質としては、構成有機物及び／又は金属が反応することにより生成された物質、構成有機物の製造工程において生じる中間体、及びこの中間体が反応することにより生成された物質の少なくとも１つが挙げられる。
【手続補正６】
【補正対象書類名】明細書
【補正対象項目名】００３９
【補正方法】変更
【補正の内容】
【００３９】
「成膜用有機材料、受光層形成方法、光電変換素子」
図面を参照して、本発明にかかる一実施形態の光電変換素子について説明する。図１は、本実施形態の光電変換素子の構成を示す概略断面図である。本明細書の図面において、視認しやすくするため、各部の縮尺は適宜変更して示してある。
【手続補正７】
【補正対象書類名】明細書
【補正対象項目名】０１２４
【補正方法】変更
【補正の内容】
【０１２４】
電子ブロッキング層３１には、電子供与性有機材料を用いることができる。具体的には、低分子材料では、Ｎ，Ｎ’−ビス（３−メチルフェニル）−（１，１’−ビフェニル）−４，４’−ジアミン（ＴＰＤ）や４，４’−ビス［Ｎ−（ナフチル）−Ｎ−フェニル−アミノ］ビフェニル（α−ＮＰＤ）等の芳香族ジアミン化合物、オキサゾール、オキサジアゾール、トリアゾール、イミダゾール、イミダゾロン、スチルベン誘導体、ピラゾリン誘導体、テトラヒドロイミダゾール、ポリアリールアルカン、ブタジエン、４，４’，４”−トリス（Ｎ−（３−メチルフェニル）Ｎ−フェニルアミノ）トリフェニルアミン（ｍ−ＭＴＤＡＴＡ）、ポルフィン、テトラフェニルポルフィン銅、フタロシアニン、銅フタロシアニン、チタニウムフタロシアニンオキサイド等のポルフィリン化合物、トリアゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、フルオレン誘導体、アミノ置換カルコン誘導体、オキサゾール誘導体、スチリルアントラセン誘導体、フルオレノン誘導体、ヒドラゾン誘導体、シラザン誘導体などを用いることができ、高分子材料では、フェニレンビニレン、フルオレン、カルバゾール、インドール、ピレン、ピロール、ピコリン、チオフェン、アセチレン、ジアセチレン等の重合体や、その誘導体を用いることができる。電子供与性化合物でなくとも、充分な正孔輸送性を有する化合物であれば用いることは可能である。